(57)【要約】【課題】解錠操作手段を備えた遊技機において、解錠操作手段の有効活用を図り、ひいては構造の複雑化を防止し、省スペース化を図る。【解決手段】パチンコ機１０１は、外枠１０２と、該外枠１０２の前部に設けられ外枠１０２の一側部にて開閉可能に支持された前面枠１０３とを備えている。前面枠１０３の前面側にはガラス扉枠１０４が設けられている。前面枠１０３には、遊技盤１０５が着脱可能に装着されている。前面枠１０３の前面側には外部操作可能なシリンダ錠７が設けられている。シリンダ錠７は、所定の解錠操作とは別の操作を行う別操作部を備えている。少なくとも該別操作部の操作に基づいて、施錠状態の解除とは別の状態が導出されるよう構成されている。【選択図】　　　　　図１
2004033563.tif 000002
【特許請求の範囲】
【請求項１】
所定の解錠操作により、開閉可能に支持された開閉体の施錠状態を解除するための解錠操作手段を備えた遊技機であって、
前記解錠操作手段は、所定の解錠操作とは別の操作を行う別操作部を備え、少なくとも該別操作部の操作に基づいて、前記施錠状態の解除とは別の状態が導出されるよう構成したことを特徴とする遊技機。
【発明の詳細な説明】
【０００１】
【発明の属する技術分野】
本発明は、パチンコ機等の遊技機に関するものである。
【０００２】
【従来の技術及び発明が解決しようとする課題】
従来、遊技機の一種として、遊技盤面上における遊技球の挙動に起因して種々の遊技状態が導出されるパチンコ機等の遊技機が知られている。このような遊技機は、外枠と、その前部に設けられた前面枠とを備えている。前面枠は外枠の一側部にて開閉可能に支持されており、該前面枠には遊技盤が装着されている。前面枠の前面側には、その一側部にて扉体が開閉可能に支持されている。
【０００３】
扉体のうち支持部とは反対側の側部には切欠きが形成されており、そこは前面枠の一部が露出している。該露出部分に対応して、シリンダ錠が設けられている。シリンダ錠は、前面枠の側部に沿って縦方向に装着された施錠装置に設けられている。施錠装置は、外枠に対する前面枠の施錠・解錠を行うための機構と、前面枠に対する扉体の施錠・解錠を行うための機構とを備えている。
【０００４】
そして、前面枠及び扉体の閉鎖状態にあっては、シリンダ錠の鍵穴にキーが差し込まれた状態で、キーが一方へ回動操作されることにより、外枠に対する前面枠の施錠状態が解除され、前面枠が開放可能となる。また、キーが他方へ回動操作されることにより、前面枠に対する扉体の施錠状態が解除され、扉体が開放可能となる。
【０００５】
このように、従来の遊技機におけるシリンダ錠は、単に回動操作のみが許容されているに過ぎない。すなわち、時計方向又は半時計方向への各回動操作によって、２通りの状態、例えばパチンコ機にあっては、前面枠の解錠状態、及び、扉体の解錠状態しか導出できなかった。
【０００６】
本発明は、上述した課題に鑑みてなされたものであって、その目的は、所定の解錠操作により、開閉可能に支持された枠体の施錠状態を解除するための解錠操作手段を備えた遊技機において、解錠操作手段の有効活用を図ることができ、ひいては、省スペース化を図ることの可能な遊技機を提供することにある。
【０００７】
【課題を解決するための手段及び発明の効果】
上記の目的を達成するために有効な手段を以下に示す。なお、必要に応じてその作用効果等についても説明する。
【０００８】
手段１．所定の解錠操作により、開閉可能に支持された開閉体の施錠状態を解除するための解錠操作手段を備えた遊技機であって、
前記解錠操作手段は、所定の解錠操作とは別の操作を行う別操作部を備え、少なくとも該別操作部の操作に基づいて、前記施錠状態の解除とは別の状態が導出されるよう構成したことを特徴とする遊技機。
【０００９】
手段１によれば、解錠操作手段に関する所定の解錠操作により、開閉可能に支持された開閉体の施錠状態が解除される。かかる遊技機にあって、少なくとも解錠操作手段の別操作部の操作に基づいて、施錠状態の解除とは別の状態が導出される。このため、解錠操作手段の操作に関し、別の状態を導出させるという、従来にはなかった機能を付与せしめることができ、解錠操作手段の有効活用を図ることができる。しかも、別の状態を導出するための操作手段を、解錠操作手段とは切り離して別途設けなくてもよいという点で、省スペース化を図ることができる。
【００１０】
手段２．所定の解錠操作により、開閉可能に支持された開閉体の施錠状態を解除するための解錠操作手段を備えた遊技機であって、
前記解錠操作手段は、所定の解錠操作とは別の操作を行う別操作部を備え、該別操作部の操作と、前記所定の解錠操作と同様の操作とに基づいて、前記施錠状態の解除とは別の状態が導出されるよう構成したことを特徴とする遊技機。
【００１１】
手段２によれば、解錠操作手段に関する所定の解錠操作により、開閉可能に支持された開閉体の施錠状態が解除される。かかる遊技機にあって、解錠操作手段の別操作部の操作と、所定の解錠操作と同様の操作とに基づいて、施錠状態の解除とは別の状態が導出される。このため、解錠操作手段の操作に関し、別の状態を導出させるという、従来にはなかった機能を付与せしめることができ、解錠操作手段の有効活用を図ることができる。しかも、別の状態を導出するための操作手段を、解錠操作手段とは切り離して別途設けなくてもよいという点で、構造の複雑化を防止することができ、省スペース化を図ることができる。さらに、少なくとも所定の解錠操作と同様の操作に基づいて、別の状態が導出されることから、誤った操作が行われにくい。結果として操作性の向上が図られる。
【００１２】
手段３．第１の回動操作により、開閉可能に支持された開閉体の施錠状態を解除し、第２の回動操作により、開閉可能に支持された別の開閉体の施錠状態を解除するための解錠操作手段を備えた遊技機であって、
前記解錠操作手段は、前記回動操作とは別の操作を行う別操作部を備え、該別操作部の操作と、前記いずれかの回動操作とに基づいて、前記施錠状態の解除とは別の状態が導出されるよう構成したことを特徴とする遊技機。
【００１３】
手段３によれば、解錠操作手段に関する第１の回動操作により、開閉可能に支持された開閉体の施錠状態が解除され、第２の回動操作（例えば第１の方向への回動操作とは逆の第２の方向への回動操作）により、開閉可能に支持された別の開閉体の施錠状態が解除される。かかる遊技機にあって、解錠操作手段の別操作部の操作と、回動操作とに基づいて、施錠状態の解除とは別の状態が導出される。このため、解錠操作手段の操作に関し、別の状態を導出させるという、従来にはなかった機能を付与せしめることができ、解錠操作手段の有効活用を図ることができる。しかも、別の状態を導出するための操作手段を、解錠操作手段とは切り離して別途設けなくてもよいという点で、構造の複雑化を防止することができ、省スペース化を図ることができる。
【００１４】
手段４．前記別の状態は、所定のリセット状態であることを特徴とする手段１乃至３のいずれかに記載の遊技機。
【００１５】
手段４によれば、解錠操作手段の操作に関し、所定のリセット状態とするといった、従来にはなかったリセット機能を付与せしめることができ、解錠操作手段の有効活用を図ることができる。しかも、リセット状態を導出するための操作手段を、解錠操作手段とは切り離して別途設けなくてもよいという点で、構造の複雑化を防止することができ、省スペース化を図ることができる。
【００１６】
手段５．前記別の状態は、所定の異常状態の教示解除状態であることを特徴とする手段１乃至４のいずれかに記載の遊技機。
【００１７】
手段５によれば、解錠操作手段の操作に関し、所定の異常状態の教示を解除するといった、従来にはなかった教示解除機能を付与せしめることができ、解錠操作手段の有効活用を図ることができる。しかも、教示解除状態を導出するための操作手段を、解錠操作手段とは切り離して別途設けなくてもよいという点で、構造の複雑化を防止することができ、省スペース化を図ることができる。
【００１８】
手段６．前記所定の異常状態は、
所定の復帰条件が成立することで通常の遊技状態に自動復帰可能な第１の異常状態と、
所定の修復又は部品交換を必要とし、当該修復又は部品交換後にリセット手段によるリセット操作を行うことで通常の遊技状態に復帰可能な第２の異常状態と、
前記第１の異常状態及び第２の異常状態以外の異常状態であって、少なくとも所定の教示を必要とする第３の異常状態と
のうちの、少なくとも前記第３の異常状態であることを特徴とする手段５に記載の遊技機。
【００１９】
手段６によれば、第１の異常状態が発生した場合、所定の復帰条件が成立することで通常の遊技状態に自動復帰させられる。また、第２の異常状態が発生した場合、所定の修復又は部品交換が行われ、当該修復又は部品交換後にリセット手段によるリセット操作を行うことで通常の遊技状態に復帰させられる。さて、第１の異常状態及び第２の異常状態以外の異常状態であって、少なくとも所定の教示が必要とされる第３の異常状態が発生した場合、解錠操作手段に関し、別操作部の操作を伴った操作が行われることで、第１、第２の状態とは全く異種の第３の異常状態の報知が解除される。このため、かかる解除によりいつまでも報知が継続されることによる不具合、例えばその後何回か第３の異常状態が発生しても把握されない等の不具合を回避できる。
【００２０】
なお、「第１の異常状態」としては、例えば遊技媒体を貯留するためのタンク内に遊技媒体が不足している場合、遊技媒体通路が詰まっているような場合等が挙げられ、「復帰条件」としては、例えば上記場合にあっては、遊技媒体が補填されること、詰まりが解消すること等が挙げられる。ここで、「所定の復帰条件」とあるのは、第１の異常状態が教示されている場合において遊技場関係者等により、その教示が解除されるような操作が行われることは含まない趣旨である。かかる意味から、「所定の復帰条件」に代えて、「異常教示の解除とは別の（又は異なる）所定の復帰条件」としてもよい。また、「第２の異常状態」としては、部品、部材、装置の故障等が挙げられ、「修復又は部品交換」としては、前記部品交換、取出、修理等が挙げられる。さらに、「リセット手段によるリセット操作を行うことで」、電源投入時のようにデータが初期化されることが含まれることとしてもよい。
【００２１】
手段７．前記別操作部の操作に基づく所定の操作が行われたことを検出する検出手段と、
前記検出手段の検出結果に基づき、前記別の状態が導出されるよう所定の制御対象を制御する制御手段とを備えたことを特徴とする手段１乃至６のいずれかに記載の遊技機。
【００２２】
手段７によれば、制御手段では、前記検出手段の検出結果に基づき所定の制御対象が制御され、別の状態とされる。なお、「前記所定の操作」とあるのは、特に手段２にあっては「前記所定の解錠操作と同様の操作」を主として指すものであり、手段３にあっては「前記回動操作」を主として指すものである。また、、「前記検出手段を前記操作手段近傍に設けたこと」としてもよい。また、「前記検出手段を前記操作手段に付設したこと」、或いは、「前記検出手段を前記操作手段と一体的に設けたこと」としてもよい。これらの場合には、一層の省スペース化を図ることができる。
【００２３】
手段８．前記解錠操作手段は、キーが鍵穴に差し込まれた状態で回動される錠軸と、錠軸に設けられた可動板とを備え、前記可動板の回動に基づいて前記開閉体の施錠状態が解除されるよう構成されていることを特徴とする手段１乃至７のいずれかに記載の遊技機。
【００２４】
手段８によれば、キーが鍵穴に差し込まれた状態で錠軸が回動され、それに伴って、錠軸に設けられた可動板が回動する。この可動板の回動に基づいて開閉体の施錠状態が解除される。
【００２５】
手段９．前記別操作部は、前記錠軸と平行又は略平行にスライド可能に設けられた押圧ボタンであることを特徴とする手段８に記載の遊技機。
【００２６】
手段９によれば、回動等の操作とは異なった、押圧ボタンの押圧という操作に基づいて別の状態が導出される。従って、操作を比較的容易に行うことができる。なお、「前記押圧ボタンは、常には前面側に突出していること」としてもよいし、「前記押圧ボタンは、常には非突出状態となっていること」としてもよい。前者の場合には、押圧操作を行いやすいというメリットがある。また、後者の場合には、押圧ボタンが目立ちにくく、遊技者によりいたずらに操作されたりしにくいというメリットがある。
【００２７】
手段１０．前記押圧ボタンの押圧操作に伴って、前記可動板が前記錠軸に対し離間方向へスライドさせられ、前記押圧ボタンの押圧解除に伴って、前記可動板が前記錠軸に対し近接方向へスライドさせられるよう構成されていることを特徴とする手段９に記載の遊技機。
【００２８】
手段１０によれば、押圧ボタンの押圧操作に伴って、可動板が錠軸に対し離間方向へスライドさせられる。従って、かかるスライド状態にある可動板に関し、施錠状態の解除とは別の作用を導出させることができる。また、押圧ボタンの押圧解除に伴って、可動板が前記錠軸に対し近接方向へスライドさせられるため、オペレータは何ら困難性を伴うことなく容易に元の状態へと復帰させることができる。
【００２９】
手段１１．外形を画定する外枠と、
前記外枠の一側部にて開閉可能に支持され、遊技盤が装着されてなる前面枠と、
前記前面枠の前面側において、その一側部にて開閉可能に設けられた透明部材扉体と
を備えた遊技機であって、
前記外枠に対し前記前面枠を施錠するための第１施錠機構と、
前記前面枠に対し前記透明部材扉枠を施錠するための第２施錠機構と、
第１の回動操作が行われることで前記第１施錠機構が解錠状態となり、第２の回動操作が行われることで前記第２施錠機構が解錠状態となるよう構成された解錠操作手段とを具備し、
前記解錠操作手段は、前記回動操作とは別の操作を行う別操作部を備え、該別操作部の操作と、前記いずれかの回動操作とに基づいて、前記解錠状態とは別の状態が導出されるよう構成したことを特徴とする遊技機。
【００３０】
手段１１によれば、外枠に対し前面枠が第１施錠機構にて施錠される。前面枠に対し透明部材扉枠が第２施錠機構にて施錠される。また、解錠操作手段に関し、第１の回動操作が行われることで第１施錠機構が解錠状態となり、第２の回動操作（例えば第１の方向への回動操作とは反対の第２の方向への回動操作）が行われることで第２施錠機構が解錠状態となる。さらに、解錠操作手段の別操作部の操作と、前記いずれかの回動操作とが行われることに基づいて、前記解錠とは別の状態が導出される。このため、解錠操作手段の操作に関し、別の状態を導出させるという、従来にはなかった機能を付与せしめることができ、解錠操作手段の有効活用を図ることができる。しかも、別の状態を導出するための操作手段を、解錠操作手段とは切り離して別途設けなくてもよいという点で、構造の複雑化を防止することができ、省スペース化を図ることができる。
【００３１】
手段１２．前記第１施錠機構及び第２施錠機構は、１の施錠装置として一体化されていることを特徴とする手段１１に記載の遊技機。
【００３２】
手段１２によれば、第１施錠機構及び第２施錠機構が１の施錠装置として一体化されているため、より一層の省スペース化を図ることができる。
【００３３】
手段１３．前記解錠操作手段は、前記施錠装置に装着されていることを特徴とする手段１２に記載の遊技機。
【００３４】
手段１３によれば、操作手段が施錠装置に装着されることで、ユニット化が図られ、さらなる省スペース化を図ることができる。
【００３５】
手段１４．前記別の状態は、所定のリセット状態であることを特徴とする手段１１乃至１３のいずれかに記載の遊技機。
【００３６】
手段１４によれば、解錠操作手段の操作に関し、所定のリセット状態とするといった、従来にはなかったリセット機能を付与せしめることができ、解錠操作手段の有効活用を図ることができる。しかも、リセット状態を導出するための操作手段を、解錠操作手段とは切り離して別途設けなくてもよいという点で、構造の複雑化を防止することができ、省スペース化を図ることができる。
【００３７】
手段１５．前記別の状態は、所定の異常状態の教示解除状態であることを特徴とする手段１１乃至１４のいずれかに記載の遊技機。
【００３８】
手段１５によれば、解錠操作手段の操作に関し、所定の異常状態の教示を解除するといった、従来にはなかった教示解除機能を付与せしめることができ、解錠操作手段の有効活用を図ることができる。しかも、教示解除状態を導出するための操作手段を、解錠操作手段とは切り離して別途設けなくてもよいという点で、構造の複雑化を防止することができ、省スペース化を図ることができる。
【００３９】
手段１６．前記所定の異常状態は、
所定の復帰条件が成立することで通常の遊技状態に自動復帰可能な第１の異常状態と、
所定の修復又は部品交換を必要とし、当該修復又は部品交換後にリセット手段によるリセット操作を行うことで通常の遊技状態に復帰可能な第２の異常状態と、
前記第１の異常状態及び第２の異常状態以外の異常状態であって、少なくとも所定の教示を必要とする第３の異常状態と
のうちの、少なくとも前記第３の異常状態であることを特徴とする手段１５に記載の遊技機。
【００４０】
手段１６によれば、第１の異常状態が発生した場合、所定の復帰条件が成立することで通常の遊技状態に自動復帰させられる。また、第２の異常状態が発生した場合、所定の修復又は部品交換が行われ、当該修復又は部品交換後にリセット手段によるリセット操作を行うことで通常の遊技状態に復帰させられる。さて、第１の異常状態及び第２の異常状態以外の異常状態であって、少なくとも所定の教示が必要とされる第３の異常状態が発生した場合、解錠操作手段に関し、別操作部の操作を伴った操作が行われることで、第１、第２の状態とは全く異種の第３の異常状態の報知が解除される。このため、かかる解除によりいつまでも報知が継続されることによる不具合、例えばその後何回か第３の異常状態が発生しても把握されない等の不具合を回避できる。
【００４１】
手段１７．前記別操作部の操作が行われた上で前記回動操作が行われたことを検出する検出手段と、
前記検出手段の検出結果に基づき、前記別の状態が導出されるよう所定の制御対象を制御する制御手段とを備えたことを特徴とする手段１１乃至１６のいずれかに記載の遊技機。
【００４２】
手段１７によれば、制御手段では、前記検出手段の検出結果に基づき所定の制御対象が制御され別の状態とされる。
【００４３】
手段１８．前記解錠操作手段は、キーが鍵穴に差し込まれた状態で回動される錠軸と、錠軸に設けられた可動板とを備え、前記可動板の一の方向への回動に基づいて前記前面枠の施錠状態が解除され、他の方向への回動に基づいて前記透明部材扉枠の施錠状態が解除されるよう構成されていることを特徴とする手段１１乃至１７のいずれかに記載の遊技機。
【００４４】
手段１８によれば、キーが鍵穴に差し込まれた状態で錠軸が回動され、それに伴って、錠軸に設けられた可動板が回動する。この可動板の一の方向への回動に基づいて前面枠の施錠状態が解除され、他の方向への回動に基づいて透明部材扉枠の施錠状態が解除される。
【００４５】
手段１９．前記別操作部は、前記錠軸と平行又は略平行にスライド可能に設けられた押圧ボタンであることを特徴とする手段１８に記載の遊技機。
【００４６】
手段１９によれば、回動等の操作とは異なった、押圧ボタンの押圧という操作に基づいて別の状態が導出される。従って、操作を比較的容易に行うことができる。
【００４７】
手段２０．前記押圧ボタンの押圧操作に伴って、前記可動板が前記錠軸に対し離間方向へスライドさせられ、前記押圧ボタンの押圧解除に伴って、前記可動板が前記錠軸に対し近接方向へスライドさせられるよう構成されていることを特徴とする手段１９に記載の遊技機。
【００４８】
手段２０によれば、押圧ボタンの押圧操作に伴って、可動板が錠軸に対し離間方向へスライドさせられる。従って、かかるスライド状態にある可動板に関し、施錠状態の解除とは別の作用を導出させることができる。また、押圧ボタンの押圧解除に伴って、可動板が前記錠軸に対し近接方向へスライドさせられるため、オペレータは何ら困難性を伴うことなく容易に元の状態へと復帰させることができる。
【００４９】
手段２１．手段１乃至２０のいずれかにおいて、遊技機はパチンコ遊技機であること。中でも、パチンコ遊技機の基本構成としては、操作ハンドルを備えていてそのハンドル操作に応じて遊技球を所定の遊技領域に発射させ、遊技球が遊技領域内の所定の位置に配置された作動口に入賞することを必要条件として可変表示装置の表示部において変動表示されている識別情報が所定時間後に確定停止表示されることが挙げられる。また、特別遊技状態発生時には遊技領域内の所定の位置に配置された可変入賞装置が所定の態様で開放されて遊技球を入賞可能とし、その入賞個数に応じた有価価値（景品球等のみならず、磁気カードへの書き込み等も含む）が付与されることが挙げられる。なお、この場合、開閉体は、前面枠、或いは、透明部材扉枠によって主として構成される。
【００５０】
手段２２．手段１乃至２０のいずれかにおいて、遊技機は回胴式遊技機であること。ここで、回胴式遊技機の構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段を備えた回胴式遊技機」となる。なお、回胴式遊技機にあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。なお、この場合、開閉体は、本体ボックスに対し開閉可能に支持された前面扉によって構成される。
【００５１】
手段２３．手段１乃至２０のいずれかにおいて、遊技機はパチンコ機とスロットマシンとを融合させた遊技機であること。中でも、前記融合させた遊技機の基本構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる遊技機」となる。なお、かかる遊技機にあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。なお、この場合、開閉体は、前面枠、或いは、透明部材扉体によって主として構成される。
【００５２】
【発明の実施の形態】
以下、パチンコ遊技機（以下、単に「パチンコ機」という）の一実施の形態を、図面に基づいて詳細に説明する。
【００５３】
図１に示すように、パチンコ機１０１は、外枠１０２と、該外枠１０２の前部に設けられ外枠１０２の一側部にて開閉可能に支持された開閉体を構成する前面枠１０３とを備えている。
【００５４】
前面枠１０３の前面側には、開閉体、透明部材扉体、透明部材扉枠としてのガラス扉枠１０４が設けられている。前面枠１０３の後部（ガラス扉枠１０４の奥、外枠１０２の内側）には、遊技盤１０５が着脱可能に装着されている。
【００５５】
ガラス扉枠１０４の下方には、遊技球Ｂを貯留するための上皿１０６の一体形成された前飾り枠１０９が設けられている。また、前面枠１０３の前面下部には、左右方向ほぼ中央部において下皿１０７が設けられている。下皿１０７の側部には、遊技球発射用ハンドル１０８が設けられている。ハンドル１０８は図示しない遊技球発射装置に連結されており、遊技者がハンドル１０８を回転させることにより、遊技球Ｂが遊技球発射装置から発射される。
【００５６】
遊技盤１０５には、ルータ加工が施されることによって複数の開口部が形成されており、各開口部には、普通入賞チャッカー１１１、可変入賞装置１１２、作動チャッカー１１３、可変表示装置１１４、スルーチャッカー１１５等が配設されている。
【００５７】
遊技盤１０５の一側部には、遊技球発射装置によって発射される遊技球Ｂを遊技盤１０５の上部に案内する内レール１１６ａ及び外レール１１６ｂが設けられている。内レール１１６ａの下端部付近において、遊技盤１０５には遊技球Ｂを導出するアウト口１１７が形成されている。そして、遊技盤１０５の下部に流下した遊技球Ｂの多くは、このアウト口１１７を通って図示しない球排出路へと案内される。本実施の形態では、遊技盤１０５のうち内レール１１６ａ及び外レール１１６ｂによって囲まれ、可変表示装置１１４等が配設された部分が、遊技球Ｂが流下可能な遊技領域となっている。
【００５８】
可変表示装置１１４は、液晶表示部１２０と、該液晶表示部１２０を囲むように設けられたセンターフレーム１２１とを備えている。液晶表示部１２０には、例えば左図柄列、中図柄列及び右図柄列の３つの表示列が表示される。各図柄列は識別情報としての複数の図柄によって構成されており、これら図柄が各図柄列毎にスクロールするように可変表示される。
【００５９】
より詳しくは、可変表示装置１１４の下方に設けられた作動チャッカー１１３に遊技球Ｂが入賞することに基づいて、可変表示装置１１４の液晶表示部１２０の図柄が可変表示される。そして、停止された図柄の組合せが予め設定した特定の組合せとなった場合には特別遊技価値が付与される。すなわち、大当たり状態が発生し、可変入賞装置１１２の大入賞口が所定の開放状態となり（具体的には所定時間、所定回数だけ開く）、遊技球Ｂが入賞しやすい状態になる。なお、可変入賞装置１１２は、通常、遊技球Ｂが入賞できない状態又は入賞し難い状態になっている。
【００６０】
また、周知のとおり、遊技盤１０５の裏側には図示しない裏セット機構が設けられている。裏セット機構は、遊技球Ｂを貯留するための球タンクをはじめ、タンクレール、払出通路、及び、該払出通路の途中に設けられ、モータ等を具備してなる払出装置等を備えている。前記普通入賞チャッカー１１１、可変入賞装置１１２、作動チャッカー１１３に遊技球Ｂが入賞することに基づいて、遊技盤１０５の裏面側に設けられた払出制御装置（払出制御基板）によって、モータ等（払出装置）が駆動制御され、上皿１０６又は下皿１０７に対し所定数の景品球（遊技球Ｂ）が払い出される。また、遊技盤５には、遊技球Ｂの流下方向を適宜分散、調整等するために多数の釘が植設されているとともに、風車等の各種部材（役物）が配設されている。
【００６１】
さらに、前記ガラス扉枠１０４の前面側の一側部には、エラー表示器１２２が配設されている。このエラー表示器１２２は、後述するシリンダ錠７の近傍に設けられているものであって、予め定められた数字、文字、又は記号がセグメント表示可能となっている。
【００６２】
さて、本実施の形態では、外枠１０２に対する前面枠１０３の閉鎖状態において、前面枠１０３をロック状態に維持するための施錠機構（第１施錠機構）が設けられている。また、前面枠１０３に対するガラス扉枠１０４の閉鎖状態において、前記ガラス扉枠１０４をロック状態に維持するための施錠機構（第２施錠機構）が設けられている。本実施の形態では、両施錠機構は１つの施錠装置で兼用（一体化）されるようになっている。そして、前面枠１０３の右側部に設けられたシリンダ錠７への所定のキー操作によって前記各ロック状態が解除されるようになっている。
【００６３】
ここで、本実施の形態の施錠装置の構成について図２乃至図９を参照して説明する。図２は施錠装置の正面図を、図３はその背面図を示し、図４はその右側面図を、図５はその左側面図を各々示している。さらに、図６は施錠装置の分解背面図を、図７は施錠装置の分解右側面図を、図８はガラス扉枠の解錠時の状態を表す背面図を、図９は使用状態を示す右側面図をそれぞれ示している。施錠装置を構成する縦長の基枠１は、取付板２と支持板３とを備えており、これらが一体となって断面略Ｌ字状をなしている。本実施の形態の施錠装置は、その取付板２が前面枠１０３の内側に縦方向に取付けられている（図９参照）。
【００６４】
前記取付板２には複数の取付孔が穿設され、さらにその上部と下部に、矩形状の挿入孔１４，１５が形成されている。該挿入孔１４，１５には、ガラス扉枠１０４の閉時において後述するガラス扉枠鉤部２６，２７が進入するようになっている。また、その挿入孔１４，１５の下側の取付板２上には、後述のガラス扉枠施錠部材１０，１１の摺動をガイドするためのガイドピン２ａ，２ｂが取付けられている。
【００６５】
支持板３の内側には、摺動杆６が上下に摺動可能に配設されている。基枠１の上部及び下部に設けられた鉤部材４，５は、前記摺動杆６が上方へ移動したときのみ連動して摺動させられるようになっている。なお、前記外枠１０２の内側には、鉤部材４，５に対応するようにして、受け金具２４，２５が固定されている。摺動杆６は、金属板により帯状に形成されている。摺動杆６の上部及び下部にはガイド孔６ｅ，６ｆが設けられ、中間部には手動操作用の操作部６ｇが突設され、下部のガイド孔６ｆの上方には、後述の可動板としてのカム板８が係合可能な２個の矩形状の係合部６ｃ，６ｄが形成されている。前面枠１０３を解錠する際に、シリンダ錠７に関し時計方向にキー操作したとき、後述するカム板８の第一係合凸部８ａが係合部６ｄに係合する。また、ガラス扉枠１０４を解錠する際に、シリンダ錠７に関し半時計方向にキー操作したとき、カム板８の第二係合凸部８ｂが係合部６ｃに係合する。
【００６６】
さて、上部と下部の鉤部材４，５は、三角形頭部を有しており、その先端下部が係合部となっている。また、上下の鉤部材４，５には、各々ガイドピン４ａ，５ａが固定されており、各ガイドピン４ａ，５ａは、支持板３の上部と下部に設けられた小判形のガイド孔３ａ，３ｂに係合状態で挿通されている。さらに、鉤部材４，５は、支持板３の上部と下部に設けられたガイド部３ｃ，３ｄ（図６参照）にガイドされる。つまり、当該ガイドピン４ａ，５ａとガイド部３ｃ，３ｄとによって、鉤部材４，５は、所定の範囲で上下に摺動可能に支持されている。
【００６７】
さらに、上記ガイドピン４ａ，５ａは上記摺動杆６のガイド孔６ｅ，６ｆに挿通されており、かつ、鉤部材４，５と取付板２との間にコイルばね９ｂ，９ｄが掛けられ、鉤部材４，５は常には下方に引っ張られている。また、ガイドピン４ａ，５ａが摺動杆６のガイド孔６ｅ，６ｆと支持板３のガイド孔３ａ，３ｂの各下側縁部に当接している。従って、摺動杆６が上方に摺動するのに伴って、鉤部材４，５も連動して上方へ移動するようになっている。一方で、各々の鉤部材４，５は、独立して上方に移動可能であり、針金などで上下の鉤部材４，５を上方に移動させようとする場合（不正行為が行われる場合）は、両方の鉤部材４，５に針金を引っ掛けて上に引かなければならない。つまり、一方のみの鉤部材４または５を引っ掛けて上に引いただけでは、不正解錠をすることができないように構成されている。
【００６８】
また、ガラス扉枠施錠機構を構成するガラス扉枠施錠部材１０，１１は、図６、図７に示すように、金属板を断面コ字状に折曲げることにより形成されている。ガラス扉枠施錠部材１０，１１のうち取付板２側の面には矩形状の係止孔１２，１３が形成され、当該係止孔１２，１３が取付板２に形成された前記挿入孔１４，１５に相対するよう配置されている。また、ガラス扉枠施錠部材１０，１１には、各々ガイド孔１０ａ，１０ｂ、１１ａ，１１ｂが設けられ、ガイド孔１０ａ，１１ａには、摺動杆６の上部及び下部に固定されたガイドピン６ａ，６ｂが係合されている。また、ガイド孔１０ｂ，１１ｂには、取付板２の上部と下部に固定されたガイドピン２ａ，２ｂが係合されている。そして、ガラス扉枠施錠部材１０，１１と取付板２との間にコイルばね９ａ，９ｃが掛けられている。かかる構成下、ガラス扉枠施錠部材１０，１１は常には上方に引っ張られ、ガイドピン２ａ，２ｂがガラス扉枠施錠部材１０，１１のガイド孔１０ｂ，１１ｂの下側縁部に当接し、かつ、ガイドピン６ａ，６ｂがガラス扉枠施錠部材１０，１１のガイド孔１０ａ，１１ａの下側縁部に当接した状態で停止する。このようなガラス扉枠施錠部材１０，１１の停止位置において、その係止孔１２，１３は、取付板２側の挿入孔１４，１５の上部に相対して位置する。
【００６９】
そして、ガラス扉枠１０４が閉じられるときには、ガラス扉枠１０４側に設けられたガラス扉枠鉤部２６，２７がその係止孔１２，１３に進入する。このとき、ガラス扉枠施錠部材１０，１１は、その鉤部２６，２７によって押され、コイルばね９ａ，９ｃの引張力に抗して下方に摺動し、その後、前記コイルばね９ａ，９ｃの引張力で元の位置に戻り、ガラス扉枠鉤部２６，２７を係止する。また、ガラス扉枠施錠部材１０，１１は、解錠時には、摺動杆６の下方への摺動に伴って下方に摺動する。これにより、ガラス扉枠鉤部２６，２７と係止孔１２，１３との係合が解除されるようになっている。
【００７０】
さらに、取付板２の下部の拡幅部分には、シリンダ錠７を取り付けるための異形孔が形成されていると共に、該異形孔に対応して取付ブラケット部１８が形成されている。取付ブラケット部１８は、取付板２の一部を切り欠くとともに、上下の切り欠き片をそれぞれ内側に鉤状に折り曲げることにより形成されている。そして、シリンダ錠７は、基枠１の異形孔に挿入された状態で、その先端部分（遊技者からみて後端部分）が取付ブラケット部１８に固定されている。より詳しくは、シリンダ錠７は、その先端部分においてフランジ７ａを有しており、シリンダ錠７の本体の一部が基枠１の内側に挿入された状態で、フランジ７ａが取付ブラケット部１８に対しねじ止め固定されている。
【００７１】
シリンダ錠７の錠軸３３（図１０参照）には第一係合凸部８ａと第二係合凸部８ｂとを備えてなるカム板８が固定される。キー操作によってカム板８が図３の反時計方向に回動された場合、カム板８の第一係合凸部８ａが摺動杆６の係合部６ｄに係合し、摺動杆６が上方に摺動させられる。これにより、鉤部材４，５が上方に摺動させられる。このとき、鉤部材４，５と外枠１０２側の受け金具２４，２５との係合が解除され、前面枠１０３が解錠される。従って、上記鉤部材４，５、摺動杆６、カム板８、シリンダ錠７等によって、外枠１０２に対する前面枠１０３の施錠・解錠機構が形成されることになる。
【００７２】
一方、キー操作によってカム板８が図３の時計方向に回動させられた場合、カム板８の第二係合凸部８ｂが摺動杆６の係合部６ｃに係合し、摺動杆６が下方に摺動させられ、ガラス扉枠施錠部材１０，１１が下方に摺動させられる。このとき、ガラス扉枠施錠部材１０，１１とガラス扉枠１０４側のガラス扉枠鉤部２６，２７との係合が解除され、ガラス扉枠１０４が解錠される。従って、ガラス扉枠施錠部材１０，１１、摺動杆６、カム板８、シリンダ錠７等によって、ガラス扉枠１０４の施錠・解錠機構が形成されることになる。
【００７３】
ここで、従来のこの種の施錠装置では、上下のガラス扉枠施錠部材が一体に形成され、比較的大型のものとなっていたが、本施錠装置では、ガラス扉枠施錠部材１０，１１が別個に小形化されて形成されているとともに、前面枠用解錠機構の摺動杆６に連係して解錠動作が行われるようになっている。このため、施錠装置の軽量化が図れ、構造も著しい簡単なものとなる。
【００７４】
なお、摺動杆６における係合部６ｄの下側には、ストッパ１６がカム板８側に突出して設けられている。このストッパ１６は、摺動杆６の不正な上方摺動を防止するもので、施錠状態において、摺動杆６が上方に針金などで不正に移動させられたとき、図３，４の通常位置にあるカム板８の第一係合凸部８ａにストッパ１６が当接し、摺動杆６と鉤部材４，５とがその解錠位置まで移動することが阻止されるようになっている。
【００７５】
続いて、本実施の形態のシリンダ錠７の構成についてより詳細に説明する。
【００７６】
上記図２〜図９では説明を省略しているが、前記シリンダ錠７のフランジ７ａは、図１０に示すように、上下一対のフォトセンサ２８，２９とともに取付ブラケット部１８に対しねじ止め固定されている。
【００７７】
さて、シリンダ錠７は、略筒状をなすシリンダ本体３１と、シリンダ本体３１内部に設けられ、内部に鍵穴３２を有してなる錠軸３３と、シリンダ本体３１の上部外周に設けられた外蓋３４と、シリンダ本体３１に対し錠軸３３が後側へ移動するのを規制するための支持板３５とを備えている。シリンダ本体３１の先端（図の右端）には前記フランジ７ａが一体形成されている。
【００７８】
シリンダ本体３１の上部には、該シリンダ本体３１の内外を連通する３つの透孔３６，３７，３８が形成されている。また、各透孔３６〜３８に対応するようにして、前記錠軸３３にも透孔４１，４２，４３が形成されている。かかる透孔４１〜４３の鍵穴３２側は他の部位よりも小径に形成されている。
【００７９】
各透孔３６〜３８，４１〜４３は連通可能に設けられている。少なくとも前記透孔３６〜３８内には、バネ４４が収容されている。バネ４４の一端は前記外蓋３４に当接している。バネ４４の他端には台座４５が連結されている。台座４５には、複数のスペーサ４６，４７を介してピン４８が支持されている。バネ４４の伸縮によって、ピン４８、スペーサ４６，４６、台座４５は上下動可能となっている。少なくともピン４８は、鍵穴３２内に出没可能に錠軸３３の透孔４１〜４３に設けられている。但し、ピン４８は前記透孔４１〜４３の鍵穴３２側の小径部分に係合され、鍵穴３２内に脱落してしまうことがないよう構成されている。
【００８０】
図１０において、キーＫの差込に伴って、キーＫの溝に沿って、各ピン５４が上下動し、差込完了状態にあっては、各溝に各ピン４８がそれぞれ入る。かかるピン４８がキーＫの溝に入り込んだ状態にあっては、ピン４８の基端面、又は、スペーサ４６若しくは４７の一方の端面と、鍵穴３２の内壁面とが面一になるよう設定されている。従って、キーＫの差込状態にあっては、キーＫの回動操作に伴って錠軸３３が回動可能となる。
【００８１】
前記錠軸３３の両端部分は中間部分と比べて小径となっている。錠軸３３の前面側（図の左側）の端部に形成された段差部が前記シリンダ本体３１の段差に係合されている。これにより、錠軸３３のそれ以上の前端側への移動が規制されている。一方、錠軸３３の後側（図の右側）の小径部分は、前記支持板３５の孔から突出している。該突出部分に対し、断面非円形状のカラー５１及び円板状のフランジ５２がねじ止め固定されている。カラー５１には、前記カム板８が外嵌されている。従って、前記錠軸３３の回動に伴って、カラー５１及びカム板８が一体となって回動するようになっている。
【００８２】
さらに、前記カム板８及びフランジ５２間において、カラー５１の外周には、コイルスプリング５３が設けられている。つまり、コイルスプリング５３の一端は、前記フランジ５２に当接しており、他端はカム板８に当接している。かかるコイルスプリング５３の付勢力により、カム板８３は、常には同図左方に付勢され、図に示す基本位置に保持されるよう構成されている。
【００８３】
併せて、前記シリンダ本体３１の下部には、挿通孔５４が形成されており、該挿通孔５４には、別操作部を構成する押圧ボタン５５が前後方向にスライド可能に挿通されている。押圧ボタン５５の前端（図の左端）は、前面枠１０３よりも前方へ突出している。また、押圧ボタン５５の後端側（図の右端側）は、上方に折曲形成された上で前記カム板８に当接した状態となっている。
【００８４】
前記上下一対のフォトセンサ２８，２９は、断面略Ｆ字状に形成され、前後一対の投光部及び受光部を有し、これらの間に凹部が形成されている。通常状態にあっては、前記カム板８は、凹部よりも前面側（左側）に位置する。一方、前記押圧ボタン５５が後方に向けて押圧操作されたときには、前記カム板８が、コイルスプリング５３の付勢力に抗して、凹部に対応する位置まで移動するよう構成されている。
【００８５】
なお、前記フォトセンサ２８，２９は、パチンコ機１０１の制御を司るための制御装置６０（本実施の形態では裏セット機構に設けられた主基板が該当する）に電気的に接続されている。また、制御装置６０には、遊技盤１０５等に設けられた各種検出センサ等からの検出信号が入力されるようになっている。さらに、制御装置６０は、前記前面枠１０３に設けられたエラー表示器１２２に電気的に接続されている。
【００８６】
ところで、上記のように構成されたパチンコ機１０１においては、種々のエラー（異常状態）が発生しうる。エラーの種類について説明すると、例えば、前記タンクレール内が空となって遊技球Ｂの補填がされていない場合には、所謂「球切れ」が起こったものとして前面側の左上部ランプ（図示略）が点灯状態となる。この場合、一時的に遊技球Ｂの払出が行われないことがあるものの、遊技者による遊技の継続は許容される。そして、遊技球Ｂの補填が行われた場合には、その異常状態が解消されることとなり、ランプは自動的に消灯状態となり、通常の遊技状態へと自動復帰しうる。このような比較的軽微であって、自動復帰可能なエラーをここでは第１の異常状態と称することとする。
【００８７】
また、払出装置を構成するモータ等が故障した場合には、適切な払出が行われない。この場合、モータ等を点検・修復しなければ遊技の継続に支障を来すこととなるため、遊技球Ｂの発射が禁止される等して遊技が中断される。そして、モータが交換される等して修復された場合には、遊技場関係者等により裏セット機構に設けられている図示しないリセットスイッチが操作されることで、前記異常状態が解消されることとなる。このような部材、装置等の点検・修復を必要とするエラーを第２の異常状態と称することとする。
【００８８】
さらに、上記のいずれにも属さない異常状態が起こりうる。例えば、遊技盤１０５に設けられた可変表示装置１１４において図柄が大当たり図柄で停止した場合であっても、ノイズ等によって可変入賞装置１１２が開放されないといった不具合が起こることがある。この場合、上記不具合は一時的なものであり、各種装置、部品等には故障が生じているわけではないので、事実上遊技の継続は可能である。しかしながら、一方で、遊技者側或いは遊技場側の利益に関わる重大な異常であるため、該異常の報知を行わなかったり、自動的に異常報知を解除するわけにはいかない。このような異常状態を第３の異常状態と称することとする。なお、第３の異常状態としては、その他にも例えば遊技球Ｂの払出数に関する一時的なエラー（例えば１５個の遊技球Ｂを払い出すべきところ、１６個の遊技球Ｂが払い出されてしまった場合）も含まれる。
【００８９】
本実施の形態では、前記エラー表示器１２２には、第３の異常状態に応じた数値等が表示されるようになっている。すなわち、前記制御装置６０は、第３の異常状態が検出された場合、そのエラーに応じた数値をエラー表示器１２２に点灯表示せしめる（例えばノイズ等の通信エラーの場合には「１」、払出数に関するエラーの場合には「２」がそれぞれ表示されるといった具合）。
【００９０】
次に、上記のように構成されてなる本実施の形態における作用効果について説明する。
【００９１】
まず、施錠装置に関する基本的な作用について説明すると、パチンコ機１０１における前面枠１０３を外枠１０２に対し閉じると、図９に示すように、施錠装置の上下の鉤部材４，５が、各々独立して、コイルばね９ｂ，９ｄの引張力に抗して、外枠１０２側の受け金具２４，２５に当りながら上方に移動し、その後、コイルばね９ｂ，９ｄの引張力により戻って受け金具２４，２５に係止され、施錠状態となる（図９における２点鎖線）。
【００９２】
それを解錠する場合は、キーを前記鍵穴３２に差し込んだ状態でシリンダ錠７の錠軸３３を半時計方向へ回し、カム板８を回動させると、カム板８の第一係合凸部８ａが摺動杆６の係合部６ｄと係合して、摺動杆６が上方へ摺動させられる。そして、摺動杆６の上昇時のみ連動する上下の鉤部材４，５が上に移動させられ、これによって、外枠１０２の受け金具２４，２５との係合が外れ、前面枠２１は開放可能な状態となる。
【００９３】
一方、前面枠１０３内のガラス扉枠１０４を前面枠１０３に対し閉じると、図８に示すように、ガラス扉枠１０４の内側に突出したガラス扉枠鉤部２６，２７が、挿入孔１４，１５から基枠１内に進入し、ガラス扉枠施錠部材１０，１１の係止孔１２，１３に入る。そして、ガラス扉枠施錠部材１０，１１をコイルばね９ａ，９ｃの引張力に抗して下方に摺動させた後、コイルばね９ａ，９ｃの引張力によりガラス扉枠施錠部材１０，１１が上方に戻り、これにより、ガラス扉枠鉤部２６，２７が係止孔１２，１３の縁部に係止され、ガラス扉枠１０４は施錠状態となる。
【００９４】
ガラス扉枠１０４を解錠する場合は、キーを前記鍵穴３２に差し込んだ状態でシリンダ錠７の錠軸３３を時計方向へ回し、カム板８を回動させると、カム板８の第二係合凸部８ｂが摺動杆６の係合部６ｃと係合し、摺動杆６がコイルばね９ａ，９ｃの引張力に抗して下方へ摺動させられる。そして、摺動杆６の下方への摺動時にのみ連動する上下のガラス扉枠施錠部材１０，１１が下方に摺動させられ、これによってガラス扉枠１０４のガラス扉枠鉤部２６，２７と係止孔１２，１３の縁部の係合が外れ、ガラス扉枠１０４は開放される。
【００９５】
一方、施錠された状態で、パチンコ機１０１の隙間から針金などが差し込まれ、鉤部材４又は５に引っ掛けられて、鉤部材４又は５を上方に引かれたとしても、一方の鉤部材４又は５は上方に移動するが、他方の鉤部材５又は４は移動しない。このため、不正行為者が針金などにより一方の鉤部材４又は５を解錠方向に移動させたとしても、他方の鉤部材５又は４によって施錠状態が保持され、前面枠１０３の不正開放が防止される。
【００９６】
また、針金などを摺動杆６に引っ掛けてそれを上方に摺動させて解錠しようとした場合には、摺動杆６のカム板８側に設けられたストッパ１６が、カム板８の第一係合凸部８ａに当たり、摺動杆６の解錠側への移動が阻止され、同様に前面枠１０３の不正解錠は防止される。
【００９７】
さらに、ガラス扉枠施錠部材１０，１１も、摺動杆６に対しては独立して下方に移動可能に形成されているから、上記同様、不正解錠を防止することができる。
【００９８】
さて、本実施の形態では、上記シリンダ錠７の操作によって、前面枠１０３、ガラス扉枠１０４の解錠が行われるのみならず、上記第３の異常状態の報知の解除も行われる。すなわち、エラー表示器１２２を視認することで上記第３の異常状態に気づいた遊技場関係者等は、上記シリンダ錠７を用いた報知解除操作を行う。より詳しくは、図１２に示すように、押圧ボタン５５に関し押圧操作を行うとともに、キーＫを鍵穴３２に差込み、時計方向又は半時計方向へと回動させる。すると、押圧ボタン５５がコイルスプリング５３の付勢力に抗して後方へスライドされられる。そして、かかるスライドによって、カム板８は、前記フォトセンサ２８，２９の投光部及び受光部間の凹部に対応する位置まで移動する。
【００９９】
また、キーＫが回動させられることで、錠軸３３が回動され前記カム板８が回動される。すると、図１３（ａ）又は（ｂ）に示すように、一対の凹部間を前記カム板８の第一係合凸部８ａ又は第二係合凸部８ｂが投受光を遮り、フォトセンサ２８又は２９によってその旨が検出されることとなる。当該検出信号が制御装置６０へと入力され、その入力信号に基づいて制御装置６０は、前記エラー表示部１２２の所定の数値の点灯を消灯させる。これにより、第３の異常状態の報知が解除されることとなる。
【０１００】
このように、本実施の形態では、シリンダ錠７に関し、キーＫを差し込んだ状態で回動操作が行われることで前面枠１０３やガラス扉枠１０４が解錠状態となる。さらに、シリンダ錠７に関し、押圧ボタン５５を押圧操作して、キーＫを差込んだ状態で回動操作が行われることで、解錠とは別の状態たる、「第３の異常状態の報知（教示）が解除された状態」となる。
【０１０１】
このため、シリンダ錠７の操作に関し、単なる解錠手段としてではなく、別の状態（教示解除状態）を導出させるという、従来にはなかった機能を付与せしめることができ、有効活用を図ることができる。しかも、かかる報知解除状態を導出するための操作手段を、シリンダ錠７とは切り離して別途設けなくてもよいという点で、構造の複雑化を防止することができ、省スペース化を図ることができる。また、部品点数、コストの増大を抑制することができる。しかも、押圧ボタン５５の押圧スライド状態でのキーＫの回動操作という比較的簡易な操作に基づいて報知解除を行うことができるため、操作性の低下による不具合を払拭できる。
【０１０２】
なお、上記のような第３の異常状態が発生した場合、エラー表示器１２２において報知が行われ、該報知に基づき遊技場関係者等は第３の異常状態の発生を把握することができる。そして、前記操作が行われることで、その報知が解除される。このため、かかる解除により、いつまでも報知が継続されることによる不具合、例えばその後何回か第３の異常状態（通信エラーや払出数エラー）が発生しても把握されない等の不具合を回避できる。
【０１０３】
しかも、第３の異常状態を解除するための手段たるシリンダ錠７がパチンコ機１０１本体の前面側（前面枠１０３の前面側）に設けられているため、前記報知に気づいた遊技場関係者等は、ガラス扉枠１０４等を開放して裏セット機構側での解除操作を行わずとも、容易に解除操作を行うことができる。従って、解除操作に伴う煩わしさを払拭することができる。
【０１０４】
さらに、前面枠１０３を施錠状態とするための第１施錠機構及びガラス扉枠１０４を施錠状態とするための第２施錠機構が１の施錠装置として一体化されているため、より一層の省スペース化を図ることができる。
【０１０５】
尚、上述した実施の形態の記載内容に限定されず、例えば次のように実施してもよい。
【０１０６】
（ａ）上記実施の形態では、押圧ボタン５５に関し押圧操作を行うとともに、キーＫを鍵穴３２に差込み、キーＫを時計方向又は反時計方向へと回動させることで、第３の異常状態の報知を解除する構成となっている。これに対し、別操作部に関する他の操作に基づいて第３の異常状態の報知が解除されるような構成としてもよい。
【０１０７】
例えば、別操作部として、上記押圧ボタン５５に代えて、回転操作可能なダイヤル部材を設け、該ダイヤル部材を所定方向に回転操作することによって、押圧手段がカム板８を後方へ移動させるような構成を採用することもできる。
【０１０８】
（ｂ）上記実施の形態では上下一対のフォトセンサ２８，２９を設けることとしたが、いずれの方向に回動させても一律に報知解除を行うのであれば、例えば図１４に示すように１つのフォトセンサ８３のみを設けることとしてもよい。この場合、カム板８には、前記第一係合凸部８ａ，第二係合凸部８ｂとは別に突起８１，８２を設けることとしてもよい。
【０１０９】
（ｃ）上記実施の形態では特に言及していないが、フォトセンサ２８，２９の検出結果に基づき、シリンダ錠７の報知解除操作が行われた旨の信号を外部（例えばホールコンピュータやパチンコ機１０１上方の表示部）に出力可能に構成してもよい。このような構成とすることで、解除が行われた事実を例えば遊技場側で把握することも可能となり、データの採取、不正監視等に役立たせたりすることも可能となる。
【０１１０】
（ｄ）上記実施の形態とは異なるタイプのパチンコ機等として実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当り図柄が表示された後に所定の領域に遊技球を入賞させることを必要条件として特別遊技状態となるパチンコ機として実施してもよい。羽根モノと称されるパチンコ機に適用することも可能である。また、パチンコ機以外にも、アレパチ、雀球、スロットマシン、いわゆるパチンコ機とスロットマシンとが融合した遊技機等の各種遊技機として実施することも可能である。なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備えたスロットマシン」となり、この場合、遊技媒体はコイン、メダル等が代表例として挙げられる。また、この場合、開閉体としては本体ボックスに対し開閉可能に支持された前面扉によって構成され、解除操作手段を前面扉に設けることが考えられる。
【０１１１】
また、パチンコ機とスロットマシンとが融合した遊技機の具体例としては、複数の図柄からなる図柄列を変動表示した後に図柄を確定表示する可変表示手段を備えており、遊技球打出用のハンドルを備えていないものが挙げられる。この場合、所定の操作（ボタン操作）に基づく、所定量の遊技球の投入の後、例えば操作レバーの操作に起因して図柄の変動が開始され、例えばストップボタンの操作に起因して或いは所定時間経過することにより図柄の変動が停止され、その停止時の確定図柄がいわゆる大当たり図柄であることを必要条件として遊技者に有利な大当たり状態が発生させられ、遊技者には、下部の受皿に多量の遊技球が払い出されるものである。この場合、開閉体としては、パチンコ機と同様の構成が考えられる（なお、この場合、パチンコ機のガラス扉枠に代えて、透明部材扉体としてもよい。）。
【０１１２】
（ｅ）上記実施の形態では特に言及していないが、第３の異常状態の種類に応じて、その報知を解除する操作方法を異ならせてもよい。例えば、通信エラーの場合には半時計方向に回動操作することで報知が解除され、払出数に関するエラーの場合には時計方向に回動操作することで報知が解除されるような構成を採用することもできる。
【０１１３】
（ｆ）上記実施の形態では、解錠状態とは全く異種の第３の状態（特定の状態）として、第３の異常状態の報知解除状態を例示しているが、別の状態であってもよい。例えば、上記実施の形態において、錠軸３３の押圧スライド状態で回動操作されることで、第２の異常状態の報知が解除されるよう構成してもよいし、また、遊技状態がリセット状態（例えばデータ等がクリヤされた初期状態）となるよう構成してもよい。
【０１１４】
（ｇ）上記実施の形態では、シリンダ本体３１の下部に挿通孔５４を形成し、該挿通孔５４には、押圧ボタン５５を設けることとしている。これに対し、シリンダ本体３１とは別の部位（例えば下方）に押圧ボタンを設けることとしてもよい。このような構成とすることで、シリンダ本体として一般的なもの（市販のもの）を採用することができ、コストの低減等を図ることができる。
【図面の簡単な説明】
【図１】一実施の形態におけるパチンコ機を示す正面図である。
【図２】施錠装置を示す正面図である。
【図３】施錠装置を示す背面図である。
【図４】施錠装置を示す右側面図である。
【図５】施錠装置を示す左側面図である。
【図６】施錠装置を示す分解背面図である。
【図７】施錠装置を示す分解右側面図である。
【図８】ガラス扉枠の解錠時の状態を表す背面図である。
【図９】施錠装置の使用状態を示す右側面図である。
【図１０】シリンダ錠の断面図及びそれに関する電気的構成を示すブロック図である。
【図１１】シリンダ錠（カム板等）を示す背面図である。
【図１２】シリンダ錠の作用を説明する断面図である。
【図１３】（ａ），（ｂ）はシリンダ錠の作用を説明する背面図である。
【図１４】別の実施の形態におけるシリンダ錠（カム板等）を示す背面図である。
【符号の説明】
７…解錠操作手段としてのシリンダ錠、８…可動板としてのカム板、２８，２９，８３…検出手段を構成するフォトセンサ、３１…シリンダ本体、３２…鍵穴、３３…錠軸、３４…外筒、５５…別操作部としての押圧ボタン、６０…制御装置、１０１…遊技機としてのパチンコ機、１０２…外枠、１０３…開閉体としての前面枠、１０４…開閉体、透明部材扉体、透明部材扉枠を構成するガラス扉枠、１０５…遊技盤、１２２…教示手段を構成するエラー表示器、Ｂ…遊技媒体としての遊技球。
【図１】
2004033563.tif 000003
【図２】
2004033563.tif 000004
【図３】
2004033563.tif 000005
【図４】
2004033563.tif 000006
【図５】
2004033563.tif 000007
【図６】
2004033563.tif 000008
【図７】
2004033563.tif 000009
【図８】
2004033563.tif 000010
【図９】
2004033563.tif 000011
【図１０】
2004033563.tif 000012
【図１１】
2004033563.tif 000013
【図１２】
2004033563.tif 000014
【図１３】
2004033563.tif 000015
【図１４】
2004033563.tif 000016